(57)【要約】 【課題】  印刷回路基板巻物の中央部の巻回厚さに比べて、両端近傍の巻回厚さが極端に厚くならないようにする。【解決手段】  この印刷回路基板巻物は、長尺状の基板１表面上に、多数の独立した回路３，３，３・・・が長手方向に印刷されている。また、基板１の端部をスリッターで切除するための位置決め線４が、長手方向に沿って印刷されている。位置決め線４は破線状に印刷されている。破線状の印刷によって、位置決め線４は印刷された部分と印刷されていない部分とで構成されることになる。この回路３，３，３・・・と破線状の位置決め線４とが印刷されてなる長尺状の基板１を巻回すると、位置決め線４は、印刷された部分と印刷されていない部分とが積層されることになる。したがって、印刷された部分のみが積層され、累積していかないので、位置決め線４近傍の巻回厚さが極端に厚くならない。【選択図】  図２
0003132240.tif 000002
【実用新案登録請求の範囲】
【請求項１】
長尺状の基板表面上に、多数の独立した回路が長手方向に印刷されてなり、該基板の端部をスリッターで切除するための位置決め線が、該長手方向に沿って印刷されてなる印刷回路基板巻物において、該位置決め線が破線状に印刷されていることを特徴とする印刷回路基板巻物。
【請求項２】
位置決め線が、長尺状の基板の両端近傍に印刷されている請求項１記載の印刷回路基板巻物。
【請求項３】
位置決め線が、回路印刷面と同一面に印刷されている請求項１又は２記載の印刷回路基板巻物。
【請求項４】
回路がＩＣカード用又はＩＣタグ用アンテナコイルである請求項１乃至３のいずれか一項に記載の印刷回路基板巻物。
【考案の詳細な説明】
【技術分野】
【０００１】
本考案は、基板表面上に、ＩＣカード用又はＩＣタグ用のアンテナコイル等の印刷回路が、長手方向に多数印刷されてなる印刷回路基板巻物に関するものである。
【背景技術】
【０００２】
ＩＣカード用又はＩＣタグ用のアンテナコイルやその他のフレキシブルプリント回路は、長尺状の基板上に、これらの独立した回路を、長手方向に沿って多数印刷して製造されている。そして、長尺状の基板は巻回され、巻物の形態で、電気機器メーカーや電子機器メーカーに供給されている。
【０００３】
ところで、回路は、基板の幅方向の略中央部に印刷されるため、基板の両端部には余白が生じる。この余白は、印刷回路を使用する際には不必要なものであるため、電気機器メーカー等に供給される際には、切除されている方が好ましい。このため、回路を印刷して印刷回路基板巻物とした後、スリッター工程にて、この余白を切除して、電気機器メーカー等に供給に供給されている。
【０００４】
そこで、従来の印刷回路基板巻物は、図１に示すように、基板１の端部２を切除するため、直線の位置決め線５が印刷されている。すなわち、直線の位置決め線５から基板１の端縁までの端部２を切除するため、スリッター工程において、直線の位置決め線５に沿ってカット刃を押し当てて、当該位置決め線５を切断することが行われている。
【０００５】
しかしながら、直線の位置決め線５を印刷すると、得られる印刷回路基板巻物において、位置決め線５が印刷されている近傍の巻回厚みが厚くなるということがあった。すなわち、位置決め線５は印刷によって設けられるため、その印刷層の厚さが、巻回することによって累積され、印刷回路基板巻物の中央部に比べて、両端近傍の巻回厚さが極端に厚くなるということがあった。このような状態になると、スリッター工程で印刷回路基板巻物を巻き戻す際に、蛇行したり、架設スペースに印刷回路基板巻物を架設しにくくなるということがあった。
【考案の開示】
【考案が解決しようとする課題】
【０００６】
そこで、本考案は、印刷回路基板巻物の中央部の巻回厚さに比べて、両端近傍の巻回厚さが極端に厚くならないようにし、スリッター工程で不具合が生じにくいようにすることを課題とするものである。
【課題を解決するための手段】
【０００７】
本考案は、位置決め線の印刷の形態を工夫することによって、上記課題を解決したものである。すなわち、本考案は、長尺状の基板表面上に、多数の独立した回路が長手方向に印刷されてなり、該基板の端部をスリッターで切除するための位置決め線が、該長手方向に沿って印刷されてなる印刷回路基板巻物において、該位置決め線が破線状に印刷されていることを特徴とする印刷回路基板巻物に関するものである。
【０００８】
本考案に係る印刷回路基板巻物は、長尺状の基板１表面上に、多数の独立した回路３，３，３・・・が印刷されてなる印刷回路基板を巻回してなるものである。この回路３，３，３・・・は、基板１の表面にのみ印刷されていてもよいし、表面及び裏面の両方に印刷されていてもよい。各回路３，３，３・・・は、最終的には、各々が切り離され、一つの回路として、電気機器や電子機器に組み込まれる。各回路３，３，３・・・は、基板１の長手方向に直列に並んでいる。なお、基板１としては、一般的に合成樹脂製フィルムが用いられる。
【０００９】
各回路３，３，３・・・とは別個に、長尺状の基板１には、長手方向に沿って位置決め線４が印刷されている。位置決め線４は、一般的に、長尺状の基板１の端部近傍に印刷されており、一方の端部近傍にのみ印刷されていてもよいし、両端近傍に印刷されていてもよい。もちろん、回路３が、幅方向に独立して複数個印刷されているときは、幅方向に並んでいる各回路３，３を切り離すために、各回路３，３間に印刷されていてもよい。位置決め線４は、回路３が印刷されている面に印刷されていてもよいし、回路３が裏面に印刷されていない場合において、当該裏面に印刷されていてもよい。
【００１０】
本考案において、位置決め線４は、破線で形成されている。すなわち、位置決め線４は破線状に印刷されて形成されている。したがって、印刷された部分と印刷されていない部分とが交互に存在する状態となっている。
【００１１】
本考案においては、基板上に、回路３，３，３・・・と位置決め線４とが印刷された印刷回路基板が、巻回されて印刷回路基板巻物となっている。この印刷回路基板巻物は、スリッター工程において、巻き戻されながら、位置決め線４に沿ってカット刃を押し当てて、位置決め線４から基板端縁までの端部２が切除される。端部２を切除した後、再び巻回され、電気機器メーカー等に供給しうる巻物となるのである。なお、電気機器メーカー等においては、各回路３，３，３・・・を切り取って、種々の電気機器や電子機器に組み込まれるのである。また、回路３がＩＣカードやＩＣタグに用いるアンテナコイルである場合には、各回路３，３，３・・・を切り取って、ＩＣを回路３の所定の位置に載置して、ＩＣカードやＩＣタグを製造しうるのである。
【考案の効果】
【００１２】
本考案においては、長尺状の基板の長手方向に印刷された位置決め線が、破線となっている。したがって、この長尺状の基板が巻回され積層されても、破線の印刷された部分のみが累積させるということはない。すなわち、破線の印刷された部分と印刷されていない部分が累積することになるので、直線で印刷された位置決め線の場合に比べて、巻回厚さが厚くなることを防止しうる。
【００１３】
したがって、印刷回路基板巻物の中央部に比べて、その両端部の巻回厚さが極端に厚さなることを防止できる。よって、スリッター工程で印刷回路基板巻物を巻き戻す際に、蛇行したり、架設スペースに印刷回路基板巻物を架設しにくくなるということを防止しうるという効果を奏する。
【図面の簡単な説明】
【００１４】
【図１】従来の印刷回路基板の平面図である。
【図２】本考案の一例に係る印刷回路基板の平面図である。
【符号の説明】
【００１５】
１      基板
２      基板の端部
３      印刷回路
４      破線状に印刷された本考案に用いる位置決め線
５      直線状に印刷された従来の位置決め線
【図１】
0003132240.tif 000003
【図２】
0003132240.tif 000004